(57)【要約】未加硫タイヤを組み立てる際に使用される折返し機構５を含むタイヤドラム１を有する組立体であって、タイヤドラムが中心軸２と、中心軸の周りに配置されタイヤドラムの中央面の各側に軸方向に間隔を置いて配置された２つのビードクランプ１１およびビード内側支持体１３と、タイヤ構成部材のビードクランプ内に位置する部分を半径方向に膨張させる手段とを備え、タイヤドラムが各側のビードクランプの外側にそれぞれ第１組および第２組の折返しアーム５を備え、折返しアームがビードクランプの方を向いた第１の自由端部の所に折返し手段、特に折返しローラ７または折返しバンドを備え、中心軸２が中空状に構成され外径を有する周方向壁を有し、ビードクランプ１１およびビード内側支持体１３を伴う各組の折返しアーム５が内径が中空状の中心軸の周方向壁の外径に相当するケーシング１０上に配置され、組立体が少なくとも２対のケーシング１０を有する組立体。
2008501549.tif 000002
【特許請求の範囲】
【請求項１】
補強コードと、エイペックスを備えている場合も備えていない場合もある２つのビードとを含むゴムのタイヤ構成部材を有する未加硫タイヤを組み立てる際に使用される折返し機構を含むタイヤドラムを有する組立体であって、
前記タイヤドラムは、中心軸と、該中心軸の周りに配置され前記タイヤドラムの中央面の各側に軸方向に間隔を置いて配置された２つのビードクランプおよびビード内側支持体と、前記タイヤ構成部材の、前記ビードクランプ内に位置する部分を、半径方向に膨張させる手段とを備え、
前記タイヤドラムは、各側の、前記ビードクランプの外側に、それぞれ第１組および第２組の折返しアームを備え、
前記折返しアームは、前記ビードクランプの方を向いた第１の自由端部の所に、折返し手段、特に折返しローラまたは折返しバンドを備え、反対側の第２の端部の所でアーム支持体に固定され、
前記タイヤドラムは、前記第１組および第２組の折返しアームの前記各アームの前記第２の端部を互いに向かって移動させ、一方、前記折返しアームをそれぞれの半径方向面において前記中心軸にほぼ平行な初期位置から傾斜位置まで傾斜させて、前記タイヤ構成部材の、前記ビードクランプの軸方向外側に位置する前記部分を、前記タイヤ構成部材の、前記ビードクランプ内に位置する前記膨張した部分に押し付けつつ前記折返しアームの前記第１の自由端部を軸方向および半径方向外側に移動させるために、前記アーム支持体を軸方向に移動する手段をさらに備え、
前記中心軸は、中空状に構成され、外径を有する周方向壁を有し、
ビードクランプおよびビード内側支持体を伴う各組の折返しアームは、内径が前記中空状の中心軸の前記周方向壁の外径に相当するケーシング上に配置され、
前記組立体は、少なくとも２対のケーシングを有し、
前記第１対のケーシングは、第１のタイヤの第１の最小ビードサイズに適合させられ、前記第２対のケーシングは第２のタイヤの第２のより大きいビードサイズに適合させられ、
前記各対のケーシングは前記中空状の中心軸上に相互交換可能に配置される、組立体。  
【請求項２】
前記第１のビードサイズは１７．５インチであり、第２のビードサイズは１７．５インチ（１７．５インチを超える）〜２５．５インチの範囲内であることが好ましい、請求項１に記載の組立体。
【請求項３】
第１のビードサイズは１２インチであり、第２のビードサイズは１２インチ（１２インチを超える）〜１９インチの範囲内であることが好ましい、請求項１に記載の組立体。
【請求項４】
前記第１対および第２対のケーシング上の前記ビードクランプは、一様な基礎部と、前記基礎部上に交換可能に取り付けられる、それぞれ第１の伸長部材および少なくとも１つの第２の伸長部材とを有し、
前記第１の伸長部材は、前記第２の伸長部材の第２の半径方向寸法より小さい第１の半径方向寸法を有する、請求項１、２、または３に記載の組立体。
【請求項５】
前記ビードクランプを半径方向内側に偏らせる周方向ゴムビード支持リングであって、半径方向内側に延び、前記ケーシングに固定された部分の半径方向内側端部に固定された周方向膜を、好ましくは中央面に面した側に備える、周方向ゴムビード支持リングが、前記伸長部材上に配置される、請求項４に記載の組立体。
【請求項６】
前記ビード内側支持体は、半径方向面において、引込み動作不能位置と、第１の端部によってビード支持レバーがビードの内面に当たって支持する伸長動作可能位置とに固定することができる周方向の一連のビード支持レバーを有し、
前記ビード支持レバーは、前記第１の端部を備えた第１のレバー部材およびヒンジによって前記ケーシングに連結された第２のレバー部材に分割され、
前記第１のレバー部材と前記第２のレバー部材がレバー長さを調整できるように互いに連結される、請求項１から５のいずれか一項に記載の組立体。
【請求項７】
第１のレバー部材と第２のレバー部材との間の連結部の調整可能長さは、前記第１の伸長部材の前記第１の半径方向寸法と前記第２の伸長部材の前記第２の半径方向寸法との差に相当する、請求項４または５および請求項６に記載の組立体。
【請求項８】
前記ケーシングは、前記ビードクランプを半径方向外側に移動させる手段を備え、
前記ビードクランプは、前記ケーシングに固定された半径方向壁同士の間などを、半径方向に滑り可能に案内される基礎部を有し、
前記移動させる手段は、軸方向に前記ケーシングに沿って移動可能な滑り部を有し、前記基礎部および前記滑り部は、互いに当たり、前記中空状の中心軸の中心線に対して傾斜する基礎面および滑り面を備え、
前記基礎面および／または前記滑り面の傾斜角は軸方向において変化する、請求項１から７のいずれか一項に記載の組立体。
【請求項９】
プロセス移動において検討される前記傾斜角は、第１の値から少なくとも１つのより低い第２の値まで変化する、請求項８に記載の組立体。
【請求項１０】
前記基礎面の前記傾斜角は、軸方向外側に大きくなる、請求項８または９に記載の組立体。
【請求項１１】
前記滑り面の前記傾斜角は軸方向外側に小さくなる、請求項８、９、または１０に記載の組立体。
【請求項１２】
前記基礎面および／または滑り面は平坦な面を有する、請求項１０または１１に記載の組立体。
【請求項１３】
前記基礎面および／または滑り面は、異なる傾斜角を有する少なくとも２つの平坦な面を有する、請求項１２に記載の組立体。
【請求項１４】
前記基礎面と滑り面はどちらも、互いに同じ向きに定められ、異なる傾斜角を有する、少なくとも２つの平坦な面を有する、請求項１３に記載の組立体。
【請求項１５】
前記第１の値は３５°〜５０°、好ましくは４０°〜４７°の範囲である、請求項９に記載の組立体。
【請求項１６】
前記第２の値は２５°〜３５°、好ましくは２７．５°〜３０°の範囲である、請求項９に記載の組立体。
【請求項１７】
前記折返しアームの前記第２の端部は前記ケーシングに着脱可能に取り付けられる、請求項１から１６のいずれか一項に記載の組立体。
【請求項１８】
前記折返しアームの前記第２の端部は支持部を形成し、前記支持部の軸受は前記ケーシング上に配置されており、
前記支持部を、前記ケーシングに固定された第１の部材と脱着可能な第２の部材とに分割することができる、請求項１７に記載の組立体。
【請求項１９】
前記脱着可能な第２の部材は、前記第１の部材の軸方向外側に位置する、請求項１８に記載の組立体。
【請求項２０】
前記第２の部材は保持リング上に取り付けられる、請求項１９に記載の組立体。
【請求項２１】
補強コードと、エイペックスを備えている場合も備えていない場合もある２つのビードとを含むゴムのタイヤ構成部材を有する未加硫タイヤを組み立てる際に使用される折返し機構を含むタイヤドラムであって、
前記タイヤドラムは、中心軸と、前記中心軸の周りに配置され前記タイヤドラムの中央面の各側に軸方向に間隔を置いて配置された２つのビードクランプおよびビード内側支持体と、前記タイヤ構成部材の、前記ビードクランプ内に位置する部分を、半径方向に膨張させる手段とを備え、
前記タイヤドラムは、各側の、前記ビードクランプの外側に、それぞれ第１組および第２組の折返しアームを備え、
前記折返しアームは、前記ビードクランプの方を向いた第１の自由端部の所に、折返し手段、特に折返しローラまたは折返しバンドを備え、反対側の第２の端部の所でアーム支持体に固定され、
前記タイヤドラムは、前記第１組および第２組の折返しアームの前記各アームの前記第２の端部を互いに向かって移動させ、一方、前記折返しアームをそれぞれの半径方向面において前記中心軸にほぼ平行な初期位置から傾斜位置まで傾斜させて、前記タイヤ構成部材の、前記ビードクランプの軸方向外側に位置する前記部分を、前記タイヤ構成部材の、前記ビードクランプ内に位置する前記膨張した部分に押し付けつつ前記折返しアームの前記第１の自由端部を軸方向および半径方向外側に移動させるために、前記アーム支持体を軸方向に移動する手段をさらに備え、
前記ケーシング上の前記ビードクランプは、一様な基礎部と、前記基礎部上に交換可能に取り付けられる、それぞれ第１の伸長部材および少なくとも１つの第２の伸長部材とを有し、
前記第１の伸長部材は、前記第２の伸長部材の第２の半径方向寸法より小さい第１の半径方向寸法を有する、タイヤドラム。
【請求項２２】
前記ビードクランプを半径方向内側に偏らせる周方向ゴムビード支持リングであって、半径方向内側に延び、前記ケーシングに固定された部分の半径方向内側端部に固定された周方向膜を、前記中央面に面した側に備える周方向ゴムビード支持リングが、伸長部材上に配置され、
前記周方向膜は好ましくは変形可能であり、前記伸長部材の前記半径方向寸法の拡大に従う、請求項２１に記載のタイヤドラム。
【請求項２３】
補強コードと、エイペックスを備えている場合も備えていない場合もある２つのビードとを含むゴムのタイヤ構成部材を有する未加硫タイヤを組み立てる際に使用される折返し機構を含むタイヤドラムであって、
前記タイヤドラムは、中心軸と、前記中心軸の周りに配置され前記タイヤドラムの中央面の各側に軸方向に間隔を置いて配置された２つのビードクランプおよびビード内側支持体と、前記タイヤ構成部材の、前記ビードクランプ内に位置する部分を、半径方向に膨張させる手段とを備え、
前記タイヤドラムは、各側の、前記ビードクランプの外側に、それぞれ第１組および第２組の折返しアームを備え、
前記折返しアームは、前記ビードクランプの方を向いた第１の自由端部の所に、折返し手段、特に折返しローラまたは折返しバンドを備え、反対側の第２の端部の所でアーム支持体に固定され、
前記タイヤドラムは、前記第１組および第２組の折返しアームの前記各アームの前記第２の端部を互いに向かって移動させ、一方、前記折返しアームをそれぞれの半径方向面において前記中心軸にほぼ平行な初期位置から傾斜位置まで傾斜させて、前記タイヤ構成部材の、前記ビードクランプの軸方向外側に位置する前記部分を、前記タイヤ構成部材の、前記ビードクランプ内に位置する前記膨張した部分に押し付けつつ前記折返しアームの前記第１の自由端部を軸方向および半径方向外側に移動させるために、前記アーム支持体を軸方向に移動する手段をさらに備え、
前記ビード内側支持体は、半径方向面において、引込み動作不能位置と、第１の端部によってビード支持レバーがビードの内面に当たって支持する伸長動作可能位置とに固定することができる周方向の一連のビード支持レバーを有し、
前記ビード支持レバーは、第１の端部を備える第１のレバー部材および前記ケーシングにヒンジによって連結された第２のレバー部材に分割され、
前記第１のレバー部材と前記第２のレバー部材は、レバー長さを調整できるように互いに連結されるタイヤドラム。
【請求項２４】
第１のレバー部材と第２のレバー部材との間の連結部の調整可能長さは、前記第１の伸長部材の前記第１の半径方向寸法と前記第２の伸長部材の前記第２の半径方向寸法との差に相当する、請求項２１、２２、および請求項２３に記載のタイヤドラム。
【請求項２５】
補強コードと、エイペックスを備えている場合も備えていない場合もある２つのビードとを含むゴムのタイヤ構成部材を有する未加硫タイヤを組み立てる際に使用される折返し機構を含むタイヤドラムであって、
前記タイヤドラムは、中心軸と、前記中心軸の周りに配置され前記タイヤドラムの中央面の各側に軸方向に間隔を置いて配置された２つのビードクランプおよびビード内側支持体と、前記タイヤ構成部材の、前記ビードクランプ内に位置する部分を、半径方向に膨張させる手段とを備え、
前記タイヤドラムは、各側の、前記ビードクランプの外側に、それぞれ第１組および第２組の折返しアームを備え、
前記折返しアームは、前記ビードクランプの方を向いた第１の自由端部の所に、折返し手段、特に折返しローラまたは折返しバンドを備え、反対側の第２の端部の所でアーム支持体に固定され、
前記タイヤドラムは、前記第１組および第２組の折返しアームの前記各アームの前記第２の端部を互いに向かって移動させ、一方、前記折返しアームをそれぞれの半径方向面において前記中心軸にほぼ平行な初期位置から傾斜位置まで傾斜させて、前記タイヤ構成部材の、前記ビードクランプの軸方向外側に位置する前記部分を、前記タイヤ構成部材の、前記ビードクランプ内に位置する前記膨張した部分に押し付けつつ前記折返しアームの前記第１の自由端部を軸方向および半径方向外側に移動させるために、前記アーム支持体を軸方向に移動する手段をさらに備え、
前記ビードクランプを半径方向外側に移動させる手段をさらに備え、
前記ビードクランプは、固定された半径方向壁同士の間などを、半径方向に滑り可能に案内される基礎部を有し、
前記移動させる手段は、軸方向に移動可能な滑り部を有し、
前記基礎部および前記滑り部は、互いに当たり、前記中空状の中心軸の中心線に対して傾斜する基礎面および滑り面を備え、
前記基礎面および／または前記滑り面の傾斜角は軸方向において変化するタイヤドラム。
【請求項２６】
プロセス移動において検討される前記傾斜角は、第１の値から少なくとも１つのより低い第２の値まで変化する、請求項２５に記載のタイヤドラム。
【請求項２７】
前記基礎面の前記傾斜角は、軸方向外側に大きくなる、請求項２５または２６に記載のタイヤドラム。
【請求項２８】
前記滑り面の前記傾斜角は軸方向外側に小さくなる、請求項２５、２６、または２７に記載のタイヤドラム。
【請求項２９】
前記基礎面および／または滑り面は平坦な面を有する、請求項２７または２８に記載のタイヤドラム。
【請求項３０】
前記基礎面および／または滑り面は、異なる傾斜角を有する少なくとも２つの平坦な面を有する、請求項２９に記載のタイヤドラム。
【請求項３１】
前記基礎面と滑り面はどちらも、互いに同じ向きに定められ、異なる傾斜角を有する、少なくとも２つの平坦な面を有する、請求項３０に記載のタイヤドラム。
【請求項３２】
前記第１の値は３５°〜５０°、好ましくは４０°〜４７°の範囲である、請求項２６に記載のタイヤドラム。
【請求項３３】
前記第２の値は２５°〜３５°、好ましくは２７．５°〜３０°の範囲である、請求項２６に記載のタイヤドラム。
【請求項３４】
補強コードと、エイペックスを備えている場合も備えていない場合もある２つのビードとを含むゴムのタイヤ構成部材を有する未加硫タイヤを組み立てる際に使用される折返し機構を含むタイヤドラムであって、
前記タイヤドラムは、中心軸と、前記中心軸の周りに配置され前記タイヤドラムの中央面の各側に軸方向に間隔を置いて配置された２つのビードクランプおよびビード内側支持体と、前記タイヤ構成部材の、前記ビードクランプ内に位置する部分を、半径方向に膨張させる手段とを備え、
前記タイヤドラムは、各側の、前記ビードクランプの外側に、それぞれ第１組および第２組の折返しアームを備え、
前記折返しアームは、前記ビードクランプの方を向いた第１の自由端部の所に、折返し手段、特に折返しローラまたは折返しバンドを備え、反対側の第２の端部の所でアーム支持体に固定され、
前記タイヤドラムは、前記第１組および第２組の折返しアームの前記各アームの前記第２の端部を互いに向かって移動させ、一方、前記折返しアームをそれぞれの半径方向面において前記中心軸にほぼ平行な初期位置から傾斜位置まで傾斜させて、前記タイヤ構成部材の、前記ビードクランプの軸方向外側に位置する前記部分を、前記タイヤ構成部材の、前記ビードクランプ内に位置する前記膨張した部分に押し付けつつ前記折返しアームの前記第１の自由端部を軸方向および半径方向外側に移動させるために、前記アーム支持体を軸方向に移動する手段をさらに備え、
前記折返しアームの前記第２の端部は、前記タイヤドラムに脱着可能に取り付けられるタイヤドラム。
【請求項３５】
前記各アームの前記第２の端部は支持部を形成し、前記支持部の軸受は前記タイヤドラム上に配置されており、
前記支持部を、前記ケーシングに固定された第１の部材と脱着可能な第２の部材とに分割することができる、請求項３４に記載のタイヤドラム。
【請求項３６】
前記脱着可能な第２の部材は、前記第１の部材の軸方向外側に位置する、請求項３５に記載のタイヤドラム。
【請求項３７】
前記第２の部材は保持リング上に取り付けられる、請求項３６に記載のタイヤドラム。
【請求項３８】
添付の明細書に記載されおよび／または添付の図面に示されている特徴的な手段のうちの１つまたは２つ以上を備えた組立体。
【請求項３９】
添付の明細書に記載されおよび／または添付の図面に示されている特徴的な手段のうちの１つまたは２つ以上を備えたタイヤドラム。
【発明の詳細な説明】
【技術分野】
【０００１】
本発明は、ゴムのタイヤ構成部材を有し、特に、補強コードと、エイペックスまたはビード充填ストリップを備えている場合も備えていない場合もある２つのビードも有する未加硫タイヤを組み立てる際に使用される折返し機構を含むタイヤドラム組立体に関する。
【背景技術】
【０００２】
公知のタイヤドラムは、中心軸と、中心軸の周りに配置され、ビードコアを支持する間隔を置いて配置された２つのリングセグメントと、タイヤ構成部材の、リングセグメント内に位置する部分を、半径方向に膨張させる手段とを備えている。タイヤドラムは、各アームが、リングセグメントの方を向いた第１の自由端部に第１の折返し手段、特に折返しローラを備え、軸方向に移動可能なアーム支持体に反対側の第２の端部の所で固定された、軸方向に延びる１組のアームを、各側の、リングセグメントの外側に備えている。各アームは、第１の端部の近くにローラまたはバンドを備えている。
【０００３】
初期位置では、ローラはタイヤ構成部材用の周方向の一連の支持面を形成する。折返しプロセスでは、両方の組のアームの第２の端部が、アーム支持体を移動させる手段を使用して軸方向に互いの方へ移動させられる。同時に、タイヤ構成部材の、リングセグメント内に位置する部分が、膨張するため、アームは、半径方向面において傾斜位置まで傾斜移動し、その結果、第１の端部が、タイヤ構成部材の、リングセグメントの外側に位置する部分を、タイヤ構成部材の、リングセグメント内に位置する膨張した部分に押し付けつつ、軸方向および半径方向に移動する。
【０００４】
折返し機構を備えたこのようなタイヤドラムは、特にＰＣＴ国際特許出願国際公開第９８／５２７４０号で周知である。このようなタイヤドラムは、タイヤ構成部材、特にライナおよびカーカス層が供給され、円筒形のケーシングを構成するタイヤ組立てドラムとして構成することができ、ビードコアも供給され、その後タイヤ組立てドラム上の円筒形のケーシングが円環状に膨張させられ、ケーシングの各側面が、折返し機構によってビード（コア）の周りで折り返される。タイヤドラムは、形成済みの円筒形カーカスケーシングが供給された整形ドラムとして構成することもできる。
【０００５】
公知のタイヤドラムは通常、左右ねじを有するスピンドルが位置する中空状の中心軸を有する。スピンドル上に２つのナットが配置されている。中空状の中心軸上に２つのドラム半部がすべり可能に配置され、これらのドラム半部は、スピンドル上のそれぞれのナットと一緒に可動単体を形成する。したがって、スピンドル軸が回転すると、ドラム半部が軸方向にそれぞれ互いに向かって滑ると共に互いに離れる方向へ滑る。
【０００６】
各ドラム半部は、上記のアームを含む折返し／形成部と、ドラム半部内で軸方向に滑り可能なコーンリングおよびコーンリングが滑ることによって半径方向外側に移動し、したがって半径方向外側に偏ることによってビードを固定することができる周方向の一連のビードクランプ（たとえば、２４個）とを有する。各ドラム半部は、折返しプロセス中にアームによってかけられる軸方向の力に対抗する力を与えるビード支持部をさらに有し、ビード支持部は、ドラムの中央面まで回転させられる動作不能位置とほぼ直立して延びる動作可能位置とに固定することができる周方向の一連のレバー（たとえば、２４個）を有する。
【発明の開示】
【０００７】
車両の種類（たとえば、トラックまたは乗用車）、リム径、リム幅、タイヤ径に適合させられた様々な寸法のタイヤが作られる。各タイヤは、それに適合させられたタイヤドラムを必要とする。これは高いコストを伴う。
【０００８】
本発明の目的はこれを改良することである。
【０００９】
一態様では、本発明は、補強コードと、エイペックスを備えている場合も備えていない場合もある２つのビードとを含むゴムのタイヤ構成部材を有する未加硫タイヤを組み立てる際に使用される折返し機構を含むタイヤドラムを有する組立体であって、タイヤドラムが、中心軸と、中心軸の周りに配置されタイヤドラムの中央面の各側に軸方向に間隔を置いて配置された２つのビードクランプおよびビード内側支持体と、タイヤ構成部材の、ビードクランプ内に位置する部分を、半径方向に膨張させる手段とを備え、タイヤドラムが、各側の、ビードクランプの外側に、それぞれ第１組および第２組の折返しアームを備え、折返しアームが、ビードクランプの方を向いた第１の自由端部の所に、折返し手段、特に折返しローラまたは折返しバンドを備え、反対側の第２の端部の所でアーム支持体に固定され、タイヤドラムが、第１組および第２組の折返しアームの各アームの第２の端部を互いに向かって移動させ、一方、折返しアームをそれぞれの半径方向面において中心軸にほぼ平行な初期位置から傾斜位置まで傾斜させて、タイヤ構成部材の、ビードクランプの軸方向外側に位置する部分を、タイヤ構成部材の、ビードクランプ内に位置する膨張した部分に押し付けつつ折返しアームの第１の自由端部を軸方向および半径方向外側に移動させるために、アーム支持体を軸方向に移動する手段をさらに備え、中心軸が、中空状に構成され、外径を有する周方向壁を有し、ビードクランプおよびビード内側支持体を伴う各組の折返しアームが、内径が中空状の中心軸の周方向壁の外径に相当するケーシング上に配置され、組立体が、少なくとも２対のケーシングを有し、第１対のケーシングが、第１のタイヤの第１の最小ビードサイズに適合させられ、第２対のケーシングが第２のタイヤの第２のより大きいビードサイズに適合させられ、各対のケーシングが中空状の中心軸上に相互交換可能に配置される組立体を提供する。
【００１０】
あるビードサイズ向けに準備されかつこのビードサイズに適合させられたケーシングは格納しておくことができる。中空状の中心軸を有する組立体は、最小の直径を有する一実施態様では、特に直径に関して最小のビードサイズに適合させられる。より大きいビードサイズのタイヤを製造する場合、第１のケーシングが所望のより大きいビードサイズ用の第２のケーブルと交換される。半径方向外側で利用可能な自由空間を利用することが可能であることが利用される。したがって、関連する駆動および制御構成部材を有する１つの中空軸で十分である。
【００１１】
一実施態様では、第１のビードサイズは１７．５インチであり、トラックタイヤ用の一般的な最小ビードサイズに相当する。
【００１２】
他の実施態様では、第２のビードサイズは１７．５インチ（１７．５インチを超える）〜２５．５インチの範囲内である。したがって、たとえば、１９．５インチ、２０．０インチ、２２．５インチ、２４．０インチ、および２４．５インチに適合させられたケーシングを使用することができる。
【００１３】
他の一実施態様では、第１のビードサイズは１２インチであり、乗用車タイヤ用の一般的な最小ビードサイズに相当する。他の実施態様では、第２のビードサイズは１２インチ（１２インチを超える）〜１９インチの範囲内である。
【００１４】
構成部品の数のさらなる制限は、本発明の他の態様によれば、第１対および第２対のケーシング上のビードクランプが一様な基礎部と、基礎部上に交換可能に取り付けられる、それぞれ第１の伸長部材および少なくとも１つの第２の伸長部材とを有し、第１の伸長部材が、第２の伸長部材の第２の半径方向寸法より小さい第１の半径方向寸法を有するときに実現することができる。
【００１５】
第２の伸長部材によって、ビードクランプの直径を、製造すべきタイヤのビードサイズに容易に適合させることができる。
【００１６】
本発明の他の実施態様によれば、ビードクランプを半径方向内側に偏らせる周方向ゴムビード支持リングであって、半径方向内側に延び、ケーシングに固定された部分の半径方向内側端部に固定された周方向膜を、中央面に面した側に備える、周方向ゴムビード支持リングが、伸長部材上に配置される。
【００１７】
構成部品の数のさらなる制限は、本発明の他の態様によれば、ビード内側支持体が、半径方向面において、引込み動作不能位置と、第１の端部によってビード支持レバーがビードの内面に当たって支持する伸長動作可能位置とに固定することができる周方向の一連のビード支持レバーを有し、ビード支持体レバーが、第１の端部を備えた第１のレバー部材およびヒンジによってケーシングに連結された第２のレバー部材に分割され、第１のレバー部材と第２のレバー部材がレバー長さを調整できるように互いに連結されるときに実現することができる。
【００１８】
このように、第１のレバー部材の第１の端部の位置は、ケーシングの中心線に対する半径方向において、製造すべきタイヤのビードサイズに調整することができる。ビードの少なくとも２つの半径方向内側支持体位置を同じケーシング上に実現することができる。
【００１９】
他の実施態様では、ビードクランプ用の伸長部材が存在する場合、第１のレバー部材と第２のレバー部材との間の連結部の調整可能長さは、第１の伸長部材の第１の半径方向寸法と第２の伸長部材の第２の半径方向寸法との差に相当する。
【００２０】
ケーシングが、ビードクランプを半径方向外側に移動させる手段を公知の方法で備え、ビードクランプが、ケーシングに固定された半径方向壁同士の間などを、半径方向に滑り可能に案内される基礎部を有し、移動させる手段が、軸方向にケーシングに沿って移動可能な滑り部を有し、基礎部および滑り部が、互いに当たり、中空状の中心軸の中心線に対して傾斜する基礎面および滑り面を備える本発明による他の態様では、本発明によれば、基礎面および／または滑り面の傾斜角は軸方向において変化する。このように、空間条件（たとえば、半径方向または軸方向で制限された空間）および／または実現すべき半径方向外側の力の進路を予想することができる。
【００２１】
プロセス移動において検討される傾斜角は、第１の値から少なくとも１つのより低い第２の値まで変化することが好ましい。
【００２２】
一実施態様では、基礎面の傾斜角は、軸方向外側に大きくなる。
【００２３】
他の実施態様では、滑り面の傾斜角は軸方向外側に小さくなる。
【００２４】
このように、滑り部の（移動）空間の軸方向における占有の制限を維持することができる。その結果、各組のアームが移動する軸方向の空間が増える。これは、より小さいビードサイズを有するタイヤに必要である。というのは、このようなタイヤでは、ビードの相互の距離がより短くなり、したがって、アームがより長い長さにわたって移動できなければならないからである。
【００２５】
本発明の一態様によれば、ビードクランプの半径方向への伸長の開始時には、たとえば、周方向のビード支持リングのリング張力に打ち勝つだけでよいので、ビードクランプに対する半径方向外側の力は最初小さい。傾斜角が変化するため、ビード自体のリング張力が、特に膨張の端部経路で大きくなると、ビードクランプに対する必要な半径方向外側の圧力を生成することができる。
【００２６】
簡単な実施態様では、基礎面および／または滑り面は平坦な面を有し、基礎面および／または滑り面は、異なる傾斜角を有する少なくとも２つの平坦な面を有することが好ましい。基礎面と滑り面はどちらも、互いに同じ向きに定められ、異なる傾斜角を有する、少なくとも２つの平坦な面を有してよい。
【００２７】
好ましくは、第１の値は３５°〜５０°、好ましくは４０°〜４７°の範囲である。
【００２８】
好ましくは、第２の値は２５°〜３５°、好ましくは２７．５°〜３０°の範囲である。
【００２９】
滑り面および基礎面が、本明細書では、ケーシングの長手方向断面の平面内の線によるこの断面の平面内に位置するとみなされることに留意されたい。各面は、それを横切る方向で（接線方向に）湾曲していても平坦であってもよい。滑り面は、滑らかに湾曲するかまたは一連の平坦な面を有する、連続した周方向のコーンリング上に設けることができる。基礎面は、毎回別個の基礎部上に設けることができ、基礎部は、最初は連続したコーンリングであり、次に折返しアーム位置当たり１つの部品に分割することができる。
【００３０】
他の態様では、本発明は、折返しアームの第２の端部がケーシングに着脱可能に取り付けられた上述の組立体を提供する。このように、必要に応じて、折返しアームを半径方向または軸方向において他の長さを有する折返しアームと交換することができ、その結果、所望のタイヤサイズ、特にタイヤの外径により正確に適合させることが可能になる。
【００３１】
折返しアームの第２の端部は支持部を形成し、支持部の軸受がケーシング上に配置されており、支持部を、ケーシングに固定された第１の部材と脱着可能な第２の部材とに分割することができ、そのため、折返しアームの交換が簡略化されることが好ましい。
【００３２】
脱着可能な第２の部材は、第１の部材の軸方向外側に位置することが好ましい。第２の部材は保持リング上に取り付けられ、したがって、部品の数を節約できることが好ましい。
【００３３】
他の態様では、本発明は、補強コードと、エイペックスを備えている場合も備えていない場合もある２つのビードとを含むゴムのタイヤ構成部材を有する未加硫タイヤを組み立てる際に使用される折返し機構を含むタイヤドラムであって、タイヤドラムが、中心軸と、中心軸の周りに配置されタイヤドラムの中央面の各側に軸方向に間隔を置いて配置された２つのビードクランプおよびビード内側支持体と、タイヤ構成部材の、ビードクランプ内に位置する部分を、半径方向に膨張させる手段とを備え、タイヤドラムが、各側の、ビードクランプの外側に、それぞれ第１組および第２組の折返しアームを備え、折返しアームが、ビードクランプの方を向いた第１の自由端部の所に、折返し手段、特に折返しローラまたは折返しバンドを備え、反対側の第２の端部の所でアーム支持体に固定され、タイヤドラムが、第１組および第２組の折返しアームの各アームの第２の端部を互いに向かって移動させ、一方、折返しアームをそれぞれの半径方向面において中心軸にほぼ平行な初期位置から傾斜位置まで傾斜させて、タイヤ構成部材の、ビードクランプの軸方向外側に位置する部分を、タイヤ構成部材の、ビードクランプ内に位置する膨張した部分に押し付けつつ折返しアームの第１の自由端部を軸方向および半径方向外側に移動させるために、アーム支持体を軸方向に移動する手段をさらに備え、ケーシング上のビードクランプが、一様な基礎部と、基礎部上に交換可能に取り付けられる、それぞれ第１の伸長部材および少なくとも１つの第２の伸長部材とを有し、第１の伸長部材が、第２の伸長部材の第２の半径方向寸法より小さい第１の半径方向寸法を有するタイヤドラムを提供する。
【００３４】
このように、タイヤドラムを容易に他のビードサイズに適合させることができる。
【００３５】
ビードクランプを半径方向内側に偏らせる周方向ゴムビード支持リングであって、半径方向内側に延び、ケーシングに固定された部分の半径方向内側端部に固定された周方向膜を、中央面に面した側に備える周方向ゴムビード支持リングが、伸長部材上に配置され、周方向膜は好ましくは変形可能であり、伸長部材の半径方向寸法の拡大に従うことが好ましい。
【００３６】
他の態様では、本発明は、補強コードと、エイペックスを備えている場合も備えていない場合もある２つのビードとを含むゴムのタイヤ構成部材を有する未加硫タイヤを組み立てる際に使用される折返し機構を含むタイヤドラムであって、タイヤドラムが、中心軸と、中心軸の周りに配置されタイヤドラムの中央面の各側に軸方向に間隔を置いて配置された２つのビードクランプおよびビード内側支持体と、タイヤ構成部材の、ビードクランプ内に位置する部分を、半径方向に膨張させる手段とを備え、タイヤドラムが、各側の、ビードクランプの外側に、それぞれ第１組および第２組の折返しアームを備え、折返しアームが、ビードクランプの方を向いた第１の自由端部の所に、折返し手段、特に折返しローラまたは折返しバンドを備え、反対側の第２の端部の所でアーム支持体に固定され、タイヤドラムが、第１組および第２組の折返しアームの各アームの第２の端部を互いに向かって移動させ、一方、折返しアームをそれぞれの半径方向面において中心軸にほぼ平行な初期位置から傾斜位置まで傾斜させて、タイヤ構成部材の、ビードクランプの軸方向外側に位置する部分を、タイヤ構成部材の、ビードクランプ内に位置する膨張した部分に押し付けつつ折返しアームの第１の自由端部を軸方向および半径方向外側に移動させるために、アーム支持体を軸方向に移動する手段をさらに備え、ビード内側支持体が、半径方向面において、引込み動作不能位置と、第１の端部によってビード支持レバーがビードの内面に当たって支持する伸長動作可能位置とに固定することができる周方向の一連のビード支持レバーを有し、ビード支持レバーが、第１の端部を備える第１のレバー部材およびケーシングにヒンジによって連結された第２のレバー部材に分割され、第１のレバー部材と第２のレバー部材が、レバー長さを調整できるように互いに連結されるタイヤドラムを提供する。このように、タイヤドラムを容易に他のビードサイズに適合させることができる。
【００３７】
第１のレバー部材と第２のレバー部材との間の連結部の調整可能長さは、第１の伸長部材の第１の半径方向寸法と第２の伸長部材の第２の半径方向寸法との差に相当することが好ましい。
【００３８】
他の態様では、本発明は、補強コードと、エイペックスを備えている場合も備えていない場合もある２つのビードとを含むゴムのタイヤ構成部材を有する未加硫タイヤを組み立てる際に使用される折返し機構を含むタイヤドラムであって、タイヤドラムが、中心軸と、中心軸の周りに配置されタイヤドラムの中央面の各側に軸方向に間隔を置いて配置された２つのビードクランプおよびビード内側支持体と、タイヤ構成部材の、ビードクランプ内に位置する部分を、半径方向に膨張させる手段とを備え、タイヤドラムが、各側の、ビードクランプの外側に、それぞれ第１組および第２組の折返しアームを備え、折返しアームが、ビードクランプの方を向いた第１の自由端部の所に、折返し手段、特に折返しローラまたは折返しバンドを備え、反対側の第２の端部の所でアーム支持体に固定され、タイヤドラムが、第１組および第２組の折返しアームの各アームの第２の端部を互いに向かって移動させ、一方、折返しアームをそれぞれの半径方向面において中心軸にほぼ平行な初期位置から傾斜位置まで傾斜させて、タイヤ構成部材の、ビードクランプの軸方向外側に位置する部分を、タイヤ構成部材の、ビードクランプ内に位置する膨張した部分に押し付けつつ折返しアームの第１の自由端部を軸方向および半径方向外側に移動させるために、アーム支持体を軸方向に移動する手段をさらに備え、ビードクランプを半径方向外側に移動させる手段をさらに備え、ビードクランプが、固定された半径方向壁同士の間などを、半径方向に滑り可能に案内される基礎部を有し、移動させる手段が、軸方向に移動可能な滑り部を有し、基礎部および滑り部が、互いに当たり、中空状の中心軸の中心線に対して傾斜する基礎面および滑り面を備え、基礎面および／または滑り面の傾斜角が軸方向において変化するタイヤドラムを提供する。本発明の利点および他の好ましい実施態様は、すでに上記に本発明による組立体に関して記載されている。
【００３９】
他の態様では、本発明は、補強コードと、エイペックスを備えている場合も備えていない場合もある２つのビードとを含むゴムのタイヤ構成部材を有する未加硫タイヤを組み立てる際に使用される折返し機構を含むタイヤドラムであって、タイヤドラムが、中心軸と、中心軸の周りに配置されタイヤドラムの中央面の各側に軸方向に間隔を置いて配置された２つのビードクランプおよびビード内側支持体と、タイヤ構成部材の、ビードクランプ内に位置する部分を、半径方向に膨張させる手段とを備え、タイヤドラムが、各側の、ビードクランプの外側に、それぞれ第１組および第２組の折返しアームを備え、折返しアームが、ビードクランプの方を向いた第１の自由端部の所に、折返し手段、特に折返しローラまたは折返しバンドを備え、反対側の第２の端部の所でアーム支持体に固定され、タイヤドラムが、第１組および第２組の折返しアームの各アームの第２の端部を互いに向かって移動させ、一方、折返しアームをそれぞれの半径方向面において中心軸にほぼ平行な初期位置から傾斜位置まで傾斜させて、タイヤ構成部材の、ビードクランプの軸方向外側に位置する部分を、タイヤ構成部材の、ビードクランプ内に位置する膨張した部分に押し付けつつ折返しアームの第１の端部を軸方向および半径方向外側に移動させる手段をさらに備え、各アームの第２の端部がタイヤドラムに脱着可能に取り付けられるタイヤドラムを提供する。本発明の利点および他の好ましい実施態様は、すでに上記に本発明による組立体に関して記載されている。
【００４０】
本出願に記載されおよび／または図示されている態様および手段は、可能なら互いに独立に使用することができる。ビードクランプ、ビード支持レバー、滑り部、およびアームの脱着可能な取付けのような個々の態様、および他の態様は、本出願に関係する分割特許出願の主題であってよい。
【００４１】
本発明は、添付の図面に示されているいくつかの例示的な実施形態に基づいて解明されよう。
【発明を実施するための最良の形態】
【００４２】
図１に示されているタイヤ組立てドラム１は、対称面Ｍを有しており、かつタイヤ組立てドラム１は、中心線Ｓの周りを回転可能であり、内部にスピンドル軸３が配置され、２つのスリーブ状ナット４が方向Ａに移動可能になるように軸上に配置されている、水平方向の中空状の中心軸２を有している。ピン９は、スリーブ状のナット４から中空状の中心軸２の軸方向に向けられた長穴５５を通って半径方向に延びている。ピン９上にケーシング１０が取り付けられており、その結果、スピンドル軸３が回転した場合にケーシング１０はナット４と一緒に軸方向に移動可能である。このことは、図面の上部と下部に示されている、ケーシング１０の２つの位置で概略的に示されている。
【００４３】
本発明によれば、いくつかのケーシングがあり、他のケーシング対は示されていない。ケーシング対はそれぞれ、図示のケーシング１０とほぼ同一の形状を有し、同じ内径を有するケーシングを有している。図示されていないケーシングは、すべてケーシングに適合させられた折返しアーム、ビードクランプ部、ビード内側支持体などを事前に取り付ける結果として、あるタイヤ寸法向けに準備される。ケーシング１０は、左側の、ケーシング１の自由端の所で、プレート３４を取り外すと共に圧縮空気連結部３８を取り外し、中空状の中心軸２上でケーシング１０からピン９を外すことによって交換される。次に、ケーシング１０をどちらも中空状の中心軸２から左側にずらす（Ｆ１）ことができ、他のケーシング１０を方向Ｆ２に中空状の中心軸２上にずらし、ピン９に連結することができる。詳しく図示されていない機械上に取り付けられ、特にスピンドル軸３用の駆動装置が存在する取付け部５６が、中空状の中心軸２上の右側の端部の所に設けられている。
【００４４】
折返しアーム５用のヒンジ端部６が各ケーシング１０上の軸方向外側端部の所に配置され、折返しアーム５の他方の端部に折返しローラ７が設けられており、その間の位置に、ケーシング１０の周囲の引っ張りバンド８用の係合部を備えている。
【００４５】
アーム５をケーシング１０に対して軸方向に移動させることのできるシリンダ組立体８０が、アーム５の下方にある。
【００４６】
図面の上部の、図示の動作不能位置におけるタイヤ組立てドラム１の中央面Ｍの各側の、アーム５の軸方向内側に、特にアーム５の折返しローラ７、ビードクランプ１２を有するビードクランプ部１１、および内側ビード支持体１３ａを有する隣接するビード支持部１３が示されている。
【００４７】
折返しアーム、ビードクランプ部、および内側ビード支持体の数は、組み立てるべきタイヤに応じて変えることができ、たとえば２４個であってよい。
【００４８】
ビードクランプ部１１および内側ビード支持体１３もケーシング１０上に配置されているが、アーム５と同様に、図２〜４に基づいて説明するようにやはりケーシング１０に対して移動可能である。
【００４９】
図２の右側は、ボルト１６によってレバー４７に脱着可能／交換可能に取り付けられた内側ビード支持面１５を端部に備えるレバー４７を有するレバー状構成を有する内側ビード支持体１３を示している。ビード支持レバー４７は、実際には２つの部分から成り、１７の位置で穴／ボルト２０、２１によって互いに連結されたレバー部材１４およびレバー部材１８を有している。様々な穴、この例では３つの穴があり、その結果、２つの瞬間固定位置が可能であり、レバー４７が異なる長さを有することが可能であることが分かる。レバー部材１８は、レバー４７を確実に図示の初期位置に引き戻すようにケーシング１０の周囲の引っ張りバンド１９が通って延びることのできる切欠きを備えている。
【００５０】
レバー部材１８は、ビード支持／クランプ部１１の一部でもある半径方向壁３０に２２の位置で固定されている。半径方向壁は、中空状の中心軸２上を方向Ｃに移動できる滑り部２３上を延び、滑り部２３と一緒に円筒形のチャンバ２４を形成する（図４も参照されたい）Ｌ字形周方向壁２９と１つの単体を形成している。シリンダチャンバ２４は、Ｌ字形部２９の通路およびケーシング１０の軸方向通路２８を介して不図示の水圧源または空気圧源に連結されている、
滑り部２３もＬ字形であり、その半径方向外側に延びる脚部２３ａ上に、レバー部材１８上にヒンジ２２に隣接して（図２の半径方向内側の動作不能位置に）配置されたローラ２５用の支持体が形成されている。
【００５１】
シリンダチャンバ２４を加圧することによって、滑り部２３は、図面では右側に押され、その結果ローラ２５が押される。ヒンジ２２が比較的静止したままなので、ローラ２５は脚部２３ａ上を脚部２３ａの半径方向外面２３ｂまで移動する必要がある。レバー４７は、この場合、ヒンジ２２の周りを上向きに方向Ｂへ、ビードの内側を支持面１５によって軸方向に平面Ｍの方へ支持することができる、図４に示されている伸長位置まで傾斜する。動作後に、シリンダチャンバ２４内の圧力を解放することができ、リング１９はレバー４７を図２に示されている位置に確実に戻す。
【００５２】
たとえば、２”小さい（１９．５”ではなく１７．５”）他のビードサイズのタイヤを組み立てる必要があるときは、図４の右側と図４の左側を比較すると明らかであるように、連結部１７のボルト２１を緩め、再び締め付けることによって、レバー部材１４を半径方向内側にある距離にわたって移動させることができる。
【００５３】
図２には、ケーシング１０に取り付けられたビードクランプ部１１が、周方向に連続するコーンリング状滑り部３２が方向Ｄに滑ることができる内側空間４９を軸方向壁３５と一緒に形成する半径方向壁３３を有することがさらに示されている。滑り部３２がこのように滑る前には、図面では左側に位置する壁３３と滑り部３２との間のスリット空間４９ａが、圧力流体用の供給配管３９に連結されている。軸方向壁３５は、一方の端部の所で曲がり、折返し運動の開始時およびその戻り運動の終了時に折返しアーム５のローラ７が案内される凹面３７を備えた直立した半径方向壁３６を形成している。
【００５４】
半径方向壁３６および３０は、ビードクランプ１２が半径方向Ｅに移動可能である半径方向を向いた空間３１を形成している。図２には、ビードクランプ部１１が、図１の上部に対応する、ビードクランプ１２の実際の位置に隣接する軸方向断面図で示されている。図１および図４の下部には、ビードクランプ１２の位置における断面図が示されている。図２には、壁３６および３０が、ボルト５７によって、空間３１の正しい幅を決定するためにどのようにして正しい相互距離に維持されているかが示されている。ビードクランプ１２は、基礎部４０（各折返しアーム位置ごとに１つ）と、ボルト／ナット手段４３によって基礎部４０上に脱着可能に取り付けられた伸長部材４１とで構成されている。伸長部材４１は、周方向ゴムリング４４が収容され、概略的に示されているビード用の支持面を形成するくぼみ４２を、半径方向外側端部の所に備えている。ゴムリング４４は、軸方向内側端部の所に、端部４６によって半径方向壁３０に取り付けられる膜４５を備えている。膜４５は、タイヤ構成部材の膨張時にビードクランプ部同士の間に形成される環状の空間の気密を確保する。この目的に必要な圧縮空気は、半径方向の通路８２を介し、軸方向の圧縮空気配管８１（図４）を介してケーシング１０に入る。
【００５５】
図４に示されているように、レバー４７を調整することによって、伸長部材４１を半径方向における高さがより低い伸長部材４１と交換することもできる。伸長部材４１はその後、半径方向の寸法を除いてほとんど変化しない。伸長部材４１には、ビードサイズに適したテンションリング４４を収容することができる。
【００５６】
ビードクランプ１２を半径方向外側に方向Ｅへ移動させる場合、図３Ａ〜３Ｃを見ると分かるように、互いに傾斜した２つの係合面３２ａ、３２ｂを有する滑り部３２が使用される。通常、滑り部３２は、（長手方向断面において）表面３２ｂの方向（α）に応じた単一の直線状の係合面を備えている。同じことが基礎部４０（４０ａ、４０ｂ）に当てはまる。係合面が中心線Ｓに対してそれぞれの異なる角度に配置されるこの介入のために、図３Ａに概略的に示されている組込み長さを、長さＴだけ短くすることができる。
【００５７】
図３Ｂには、開始状況が示されており、線または面３２ａ、４０ａが互いに接触するように配置されている。この状況は、ビードクランプ１２の膨張の開始時にも当てはまる。滑り部３２に方向Ｄの力がかけられると、その力は、比較的小さい垂直構成部材を有する基礎部４０に対してほぼ軸方向に作用する。これは、テンションリング４４の引張り力に打ち勝つだけでよいので好ましい。
【００５８】
膨張プロセス中に、製造すべきタイヤのビードの張力が役割を果たし始める。よりなだらかな面３２ｂおよび４０ｂが互いに接触するため、この目的に必要なより大きな垂直方向（半径方向）の力が実現される。（図面に垂直な）周方向の接線方向において、面３２ｂおよび４０ｂが、基礎部４０が最大の半径方向の位置を占有する（かつ最大の力をかける必要のある）位置で、湾曲に関して互いに対応することに留意されたい。
【００５９】
バックルを介して互いに連結されたいくつかの面の代わりに、より平らな構成、たとえば、平滑な凸状湾曲に従った構成を使用してもよいことに留意されたい。特に、係合面の形状は、生成／経験すべき力の進路に調整することができる。
【００６０】
この例では、角度αは、２５°〜３５°、好ましくは２７．５°〜３０°の範囲である。角度βは、３５°〜５０°、好ましくは４０°〜４７°の範囲である。
【００６１】
形成される余分な軸方向の空間Ｔは、小さいビードサイズを有するタイヤを製造する際に特に有利である。
【００６２】
図５には、アーム５のヒンジ端部６が示されている。ヒンジ端部６は、軸方向内側部５４および軸方向外側部５２で形成された円形軸受５１に収容される円形端部５０を有している。軸方向内側部５４は、軸方向壁６０と一緒にシリンダチャンバ８０の制限部材を形成する半径方向壁６１と１つの単体を形成している。保持部５２は、その所定の位置に保持リング５３によって取り付けられている。
【００６３】
アーム５を交換する際、保持リング５３および保持部５２が取り外され、引張りバンド８も取り外された後でアーム５を容易に取り外すことができる。
【００６４】
たとえばより長い半径方向のショートアーム部（ヒンジ端部５０を有する）を有する新しいアーム５を取り付ける際、まず、アームを所定の位置に維持する引張りバンド８によってアームを所定の位置に位置させる。その後、保持部５２および保持リング５３を再び取り付ける。
【図面の簡単な説明】
【００６５】
【図１】上半分が動作不能位置に示され、下半分が折返し位置に示されている、本発明によるタイヤ組立てドラムの例示的な実施形態の概略長手方向断面図である。
【図２】図１のタイヤ組立てドラムのビード支持領域の位置の詳細図である。
【図３Ａ】図２のビード領域用の滑り機構の概略図である。
【図３Ｂ】図２のビード領域用の滑り機構の概略図である。
【図３Ｃ】図２のビード領域用の滑り機構の概略図である。
【図４】２つの異なる構成における図２のビード領域の概略断面図である。
【図５】図１によるタイヤ組立てドラムのアームのヒンジ領域の断面図である。
【図１】
2008501549.tif 000003
【図２】
2008501549.tif 000004
【図３Ａ】
2008501549.tif 000005
【図３Ｂ】
2008501549.tif 000006
【図３Ｃ】
2008501549.tif 000007
【図４】
2008501549.tif 000008
【図５】
2008501549.tif 000009
【手続補正書】
【提出日】平成19年2月2日(2007.2.2)
【手続補正１】
【補正対象書類名】特許請求の範囲
【補正対象項目名】請求項２
【補正方法】変更
【補正の内容】
【請求項２】
前記第１のビードサイズは１７．５インチであり、第２のビードサイズは１７．５インチ（１７．５インチを超える）〜２４．５インチの範囲内であることが好ましい、請求項１に記載の組立体。
【手続補正２】
【補正対象書類名】明細書
【補正対象項目名】００１２
【補正方法】変更
【補正の内容】
【００１２】
他の実施態様では、第２のビードサイズは１７．５インチ（１７．５インチを超える）〜２４．５インチの範囲内である。したがって、たとえば、１９．５インチ、２０．０インチ、２２．５インチ、２４．０インチ、および２４．５インチに適合させられたケーシングを使用することができる。
【手続補正３】
【補正対象書類名】明細書
【補正対象項目名】００４３
【補正方法】変更
【補正の内容】
【００４３】
本発明によれば、いくつかのケーシングがあり、他のケーシング対は示されていない。ケーシング対はそれぞれ、図示のケーシング１０とほぼ同一の形状を有し、同じ内径を有するケーシングを有している。図示されていないケーシングは、すべてケーシングに適合させられた折返しアーム、ビードクランプ部、ビード内側支持体などを事前に取り付ける結果として、あるタイヤ寸法向けに準備される。ケーシング１０は、左側の、ケーシング１０の自由端の所で、プレート３４を取り外すと共に圧縮空気連結部３８を取り外し、中空状の中心軸２上でケーシング１０からピン９を外すことによって交換される。次に、ケーシング１０をどちらも中空状の中心軸２から左側にずらす（Ｆ１）ことができ、他のケーシング１０を方向Ｆ２に中空状の中心軸２上にずらし、ピン９に連結することができる。詳しく図示されていない機械上に取り付けられ、特にスピンドル軸３用の駆動装置が存在する取付け部５６が、中空状の中心軸２上の右側の端部の所に設けられている。
【手続補正４】
【補正対象書類名】明細書
【補正対象項目名】００４７
【補正方法】変更
【補正の内容】
【００４７】
折返しアーム、ビードクランプ部、および内側ビード支持体の数は、組み立てるべきタイヤの直径に応じて変えることができ、たとえば２４個であってよい。
【手続補正書】
【提出日】平成19年2月5日(2007.2.5)
【手続補正１】
【補正対象書類名】図面
【補正対象項目名】図１
【補正方法】変更
【補正の内容】
【図１】
2008501549.tif 000010
【手続補正２】
【補正対象書類名】図面
【補正対象項目名】図２
【補正方法】変更
【補正の内容】
【図２】
2008501549.tif 000011
【国際調査報告】
2008501549.tif 000012
2008501549.tif 000013
2008501549.tif 000014
2008501549.tif 000015
2008501549.tif 000016